(57)【要約】【課題】  不要部分の指定の途中にはいままで指定したサムネイル画は表示されないので、指定の途中では内容を確認できないという問題があった。【解決手段】  記録媒体に記録されている映像データの任意の部分を指定する部分指定手段と、指定された部分を代表する縮小画を表示するための情報を生成する画面生成手段とを備えた映像記録再生装置において、前記部分指定手段により複数の部分を指定した場合、前記画面生成手段は指定した複数の部分の位置及び長さの情報及びまたは指定した複数の部分の縮小画を表示するための情報を生成することを特徴とする。【選択図】  図４
2006309867.tif 000002
【特許請求の範囲】
【請求項１】
記録媒体に記録されている映像データの任意の部分を指定する部分指定手段と、
指定された部分を代表する縮小画を表示するための情報を生成する画面生成手段とを備えた映像記録再生装置において、
前記部分指定手段により複数の部分を指定した場合、前記画面生成手段は、指定した複数の部分が前記映像データのどの部分であるかの位置の情報、及びまたは指定した複数の部分の縮小画を表示するための情報を生成することを特徴とする映像記録再生装置。
【請求項２】
請求項１記載の映像記録再生装置において、前記縮小画は静止画像及びまたは動画像であることを特徴とする映像記録再生装置。
【請求項３】
請求項１乃至２のいずれかに記載の映像記録再生装置において、前記部分指定手段により指定した部分を削除する削除手段を設け、
前記部分指定手段により複数の部分を指定した後、前記削除手段により削除を行った場合は、一括して指定された部分を削除することを特徴とする映像記録再生装置。
【請求項４】
請求項１乃至３のいずれかに記載の映像記録再生装置において、前記部分指定手段による部分の指定は、映像データを再生中に開始位置と終了位置を指定することであることを特徴とする映像記録再生装置。
【発明の詳細な説明】
【技術分野】
【０００１】
本発明は、記録媒体に記録されている映像データの不要部分を削除することの出来る映像記録再生装置に係り、特に複数の不要部分を削除する時の使い勝手改善に関する。
【背景技術】
【０００２】
記録後に不要部分を指定して削除する従来技術では、課題として「複雑な処理を要することなく、情報の不要部分を削除して必要部分のみを残す編集を簡単に行えるようにする。」とされ、解決手段として「テレビモニタに表示される再生映像を見ながら、削除したい映像が表示されたときに特定ボタンを押し、削除したい映像が終了したときに再度特定ボタンを押して区間を指定すると、１回目にボタンを押した時点から２回目にボタンを押すまでの区間における映像が削除され、次回再生時には、必要な映像のみを再生することができる。」としたものがある。例えば、特許文献１参照。
【０００３】
また、記録時に不要部分を指定して削除する従来技術では、課題として「記録ファイルを再生しなくても、録画中に任意に不要部分を指定できるようにして、簡単な操作によって不要部分を削除する。」とされ、解決手段として「録画の開始とともに、映像を映し出す。不要部分が始まると、一時停止キーを操作して、開始点を指定する。
【０００４】
さらに録画が進み、不要部分の終わりになると、一時停止キーを操作して、終了点を指定する。不要部分が他にあるときは、開始点および終了点の指定を繰り返す。録画が終了すると、指定した不要部分を一括して削除する。このように録画が終了することにより、不要部分を削除した記録ファイルが作成される。」としたものがある。例えば、特許文献２参照。
【０００５】
【特許文献１】特開２００３−３１９３１２号公報
【特許文献２】特開２００４−０９５０８９号公報
【発明の開示】
【発明が解決しようとする課題】
【０００６】
近年、記録媒体としてＤＶＤ（Ｄｉｇｉｔａｌ  Ｖｅｒｓａｔｉｌｅ  Ｄｉｓｃ）等の光ディスクやハードディスクなどが使用されるようになってきている。さらに、大容量化により映像を記録するための映像記録再生装置にＤＶＤやハードディスクを使用した製品が注目を集めいている。このような映像記録再生装置では、テレビ放送などの番組をＤＶＤやハードディスクに記録するようになっている。
【０００７】
ところで、番組の中にはＣＭ部分やオープニング部分やＣＭ後のＣＭ直前の映像の繰り返し部分などのようにユーザにとって不要な部分があるが、記録時にはその不要部分も記録されてしまうことになる。そのため、不要な部分を指定して削除することが行われている。
【０００８】
上記したような従来技術により不要部分を削除する場合、間違って必要な部分を指定して削除してしまわないようにすることが重要である。１番組の中にはＣＭ部分などの不要部分は複数あるのが一般的であるため、複数の不要部分を削除しようとする時には削除処理開始の前に確認できることが望まれており、さらに指定された複数の不要部分を一括で削除するのが操作性の上で好ましい。
【０００９】
一方、不要部分を複数削除する場合、指定の途中に今までに指定した不要部分のサムネイル画（縮小画）が表示されていると指定した部分が間違っていないか確認しやすく、さらに番組の中でどの部分がどれくらい削除されるかが表示されていると確認しやすく使い勝手がよい。
【００１０】
しかしながら、上記特許文献１記載の従来技術では、複数の不要部分を指定して一括削除しようとしたときに確認のためのサムネイル画を表示することには配慮されていないため、複数の不要部分を削除するには不要部分を１つずつ指定及び削除の操作を繰り返さねばならず操作性が悪いという問題があった。
【００１１】
また、上記特許文献２記載の従来技術では、複数指定後一括削除前に削除しようとしている不要部分のサムネイル画を表示するので内容を確認できるが、指定の途中にはいままで指定したサムネイル画は表示されないので、指定の途中では内容を確認できないという問題があった。さらには番組の中でどの部分がどれくらい削除されるかがビジュアル的に表示されていなので確認できないという問題があった。
【００１２】
本発明の目的は、不要部分を指定している途中の段階でも不要部分のサムネイル画及び不要部分の開始位置、終了位置を表示することにより確認しやすい使い勝手の改善した映像記録再生装置を提供することにある。
【課題を解決するための手段】
【００１３】
上記目的は、特許請求の範囲に記載の発明により達成される。
【発明の効果】
【００１４】
本発明によれば、不要部分を指定している途中の段階でも不要部分のサムネイル画及び不要部分の開始位置、終了位置を表示することにより確認しやすく使い勝手を改善することができる。
【発明を実施するための最良の形態】
【００１５】
以下、本発明による映像記録再生装置の一実施例を図１〜図８を用いて説明する。
【実施例１】
【００１６】
本発明による映像記録再生装置の第１の実施例を、図１〜図６及び図８を用いて説明する。
【００１７】
図１は本発明の第１の実施例の映像記録再生装置であるＨＤＤ内蔵ＤＶＤレコーダのブロック図を示し、内部構成及び動作を図１を用いて説明する。
【００１８】
１０１はアナログのテレビ放送受信用のアナログ受信手段、１０２は外部装置から映像信号を入力するための外部入力端子、１０３はデジタルのテレビ放送受信用のデジタル受信手段、１０４はアナログ受信手段１０１と外部入力端子１０２とを切替えるための入力切替手段、１０５はアナログの映像信号をデジタルの映像データに変換するＡ／Ｄ、１０６はＭＰＥＧ方式で映像データを圧縮または伸張するとともに各種の信号処理を行うデジタル信号処理手段、１０７は記録媒体としてハードディスク（ＨＤＤ）を使用して圧縮された映像データを記録するＨＤＤドライブ、１０８は記録媒体としてＤＶＤを使用して圧縮した映像データを記録するＤＶＤドライブ、１０９は文字やアイコン等の表示用の各種情報を生成してデジタル信号処理手段１０６からの映像信号に重畳するＯＳＤ生成手段、１１０は外部に接続した表示装置に映像信号を出力するための外部出力端子、１１１はＨＤＤドライブ１０７またはＤＶＤドライブ１０８から再生された映像信号からサムネイル画を生成するためのサムネイル画生成手段、１１２は本レコーダ全体を制御するための制御手段、１１３はユーザが本レコーダを操作するときに使用する各種釦等から構成される操作手段、１１４はサムネイル画生成手段１１１で生成したサムネイル画データや時間情報等を記憶するための記憶手段（メモリ）である。
【００１９】
まず記録及び再生時の動作を説明する。記録時はアナログ受信手段１０１によりテレビ放送を受信し出力される映像信号を切替手段１０４で選択し、Ａ／Ｄ１０５でアナログの映像信号からデジタルの映像データに変換されデジタル信号処理手段１０６に入力される。デジタル信号処理手段１０６に入力された映像データはＭＰＥＧ方式により圧縮されＨＤＤドライブ１０７及びまたはＤＶＤドライブ１０８に送られ記録される。
【００２０】
一方、デジタル信号処理手段１０６からは外部の表示装置に画面表示するための映像信号が出力されており、ＯＳＤ生成手段１０９により文字やアイコン等の表示情報が重畳され外部出力端子１１０から外部表示装置に出力される。
【００２１】
また、再生時はＨＤＤドライブ１０７またはＤＶＤドライブ１０８に記録されている圧縮された映像データがデジタル信号処理手段１０６で伸張され、映像信号となってＯＳＤ生成手段１０９により文字やアイコン等の表示情報が重畳された後外部出力端子１１０から外部表示装置に出力される。
【００２２】
ここで、ユーザは操作手段１１３により記録モードや再生モード等にするための所定の操作をする。
【００２３】
次に、本実施例に係る映像の不要部分を削除する場合の動作について説明する。尚、ここでは、ＨＤＤドライブ１０７に記録されている番組の不要部分を削除する場合で説明する。
【００２４】
操作手段１１３からの所定の操作により不要部分を削除する対象の番組を選択後不要部分削除のための部分削除機能を起動すると、部分削除用の表示画面をＯＳＤ生成手段１０９で生成し外部表示装置に表示させる。その後、操作手段１１３により本レコーダを再生状態にしてＨＤＤドライブ１０７の映像データを再生し、デジタル信号処理手段１０６で伸張し部分削除用の表示画面に再生画を表示する。
【００２５】
再生画を見ながら早送りやコマ送りをして削除したい不要部分の開始位置を探し、開始位置となる再生画が表示されたときに操作手段１１３からの操作により開始位置を指定すると、サムネイル生成手段１１１で開始位置のサムネイル画を作成し、開始位置の時間情報とともにサムネイル画データを記憶手段１１４に記憶する。
【００２６】
次に再生画を見ながら不要部分の終了位置を探し、終了位置となる再生画が表示されたときに操作手段１１３からの操作により終了位置を指定すると、サムネイル生成手段１１１で終了位置のサムネイル画を作成し、終了位置の時間情報とともにサムネイル画データを記憶手段１１４に記憶する。不要部分が複数あるときには再度不要部分の開始位置となる再生画を探し、操作手段１１３を用いて指定する。
【００２７】
このとき、最初に登録した不要部分の開始位置のサムネイル画及び開始位置と終了位置の時間情報が記憶手段１１４より読み出されてＯＳＤ生成手段１０９により表示画面に表示される。以下、上記操作を繰り返し行うと、不要部分として指定した不要部分のサムネイル画及び開始位置と終了位置の時間情報が表示されていく。
【００２８】
全ての不要部分を指定した後、操作手段１１３の操作により削除を実行すると、制御手段１１２の制御によりＨＤＤドライブ１０７にある対象となる番組中の不要部分に指定された映像データ部分を一括して削除する。
【００２９】
このように、任意の位置にある不要部分を指定することができ、指定している途中の段階でも不要部分のサムネイル画と不要部分の開始位置及び終了位置の時間情報を表示することにより削除しようとしている内容を確認しやすく、使い勝手を改善することができる。
【００３０】
さらに、一括して削除することが可能であるため操作性も向上できる。
【００３１】
次に、本実施例による部分削除機能時の画面表示例を、図２〜図４及び図８を用いて説明する。図２（ａ）は部分削除機能時における１番目の削除開始位置検索後の表示例、図２（ｂ）は部分削除機能時における１番目シーンの削除開始位置指定後の表示例、図２（ｃ）は部分削除機能時における１番目シーンの削除終了位置指定後の表示例、図２（ｄ）は部分削除機能時における２番目シーンの削除を開始するときの表示例、図３（ａ）は部分削除機能時における４番目シーンの削除終了位置指定後の表示例、図３（ｂ）は部分削除機能時における５番目シーンの削除開始位置の検索を開始するときの表示例、図４（ａ）は部分削除機能時における９番目シーンの削除終了位置指定後の表示例、図４（ｂ）は部分削除機能時における１０番目シーンの削除開始位置の検索を開始するときの表示例、図８は一括削除確認時の表示例である。
【００３２】
尚、ここでは２時間番組のオープニング部、ＣＭ部、エンディング部等のシーンを不要部分として削除する場合で説明する。削除するシーンは具体的には、３〜６分、１５〜１７分、３０〜３２分、４５〜４７分、１時間〜１時間２分、１時間１５分〜１時間１７分、１時間３０〜１時間３２分、１時間４５〜１時間４７分、１時間５５〜２時間の９箇所のシーンを指定後、一括して削除する。
【００３３】
部分削除機能を起動し操作手段１１３の再生釦を押して再生状態になると、図２（ａ）に示すように画面２０１には再生画２０２、番組中の再生位置をイメージ的に示す再生ポイント２０５、再生中の番組における再生位置時間２０６、再生中の番組の記録時間から削除に指定したシーン（不要部分）を除いた削除後時間２０７、次の操作を促すための操作バー２０８、番組全体の長さをイメージ的に示す番組バー２０９が表示されている。
【００３４】
この例では、番組の初めから３分（００：０３：００）の所を再生しており、削除位置はまだ指定されていないので削除開始位置サムネイル画２０３と削除終了位置サムネイル画２０４は表示されず、削除後時間２０７は２時間（０２：００：００）となっている。ユーザは再生画２０２を見ながら、早送りやコマ送りをしながら削除するシーン（不要部分）の削除開始位置（３分）（００：０３：００）を探し、操作バー２０８を参考に決定釦を押すと、３分（００：０３：００）の位置が削除開始位置として指定されこの時のサムネイル画を作成するとともに図２（ｂ）で示す表示画面に切り替わる。また同時に削除開始位置のサムネイル画と時間情報（３分）（００：０３：００）を記録手段１１４に登録する。
【００３５】
削除開始位置を指定すると図２（ｂ）に示すように、削除開始位置サムネイル画２０３にサムネイル画が表示される。ここで、ユーザは再生画２０２を見ながら削除終了位置（６分）（００：０６：００）を探すことになるが、再生位置を移動すると番組バー２０９には削除開始位置３分（００：０３：００）の位置から現在再生中の再生ポイント２０５（６分）（００：０６：００）の間を示す１番目シーンバー２０９１が表示される。
【００３６】
削除するシーン（不要部分）の削除終了位置を探した後操作バー２０８を参考に決定釦を押すと、６分（００：０６：００）の位置が削除終了位置として指定されこの時のサムネイル画を作成するとともに図２（ｃ）で示す表示画面に切り替わる。また同時に削除終了位置のサムネイル画と時間情報（６分）（００：０６：００）を記録手段１１４に登録する。これで、削除するシーン（不要部分）として３分（００：０３：００）から６分（００：０６：００）の間が指定されたことになる。
【００３７】
削除終了位置を指定すると図２（ｃ）に示すように、削除終了位置サムネイル画２０４にサムネイル画が表示される。ここで、ユーザが次に削除する２番目のシーン（不要部分）を指定するために操作バー２０８を参考に決定釦を押すと、図２（ｄ）で示す表示画面となる。
【００３８】
次の２番目のシーン指定の画面になると図２（ｄ）に示すように、削除開始位置サムネイル画２０３と削除終了位置サムネイル画２０４の表示を消し、削除に指定した１番目シーンの削除開始位置のサムネイル画と削除開始位置の時間（００：０３：００）と削除終了位置の時間（００：０６：００）を１番目削除アイコン２１０１として表示する。また、この時削除後時間２０７には３分から６分の間の３分を削除した場合の残り時間である（０１：５７：００）を表示する。ここの画面の状態で、ユーザからの次に削除する２番目のシーンの削除開始位置の指定を待ち、以降繰り返す。
【００３９】
４番目の削除するシーン（不要部分）の削除終了位置を指定すると図３（ａ）に示すように、削除開始位置サムネイル画２０３及び削除終了位置サムネイル画２０４には開始位置と終了位置のサムネイル画がそれぞれ表示されるとともに現在の再生位置時間２０６には（００：４７：００）が表示される。同時に、１番目削除アイコン２１０１、２番目削除アイコン２１０２、３番目削除アイコン２１０３及び、１番目シーンバー２０９１、２番目シーンバー２０９２、３番目シーンバー２０９３、４番目シーンバー２０９４も表示される。ここで、ユーザがさらに次に削除する５番目のシーンを指定するために操作バー２０８を参考に決定釦を押すと、図３（ｂ）で示す表示画面となる。
【００４０】
次の５番目のシーン指定の画面になると図３（ｂ）に示すように、削除開始位置サムネイル画２０３と削除終了位置サムネイル画２０４の表示を消し、削除に指定した４番目シーンの削除開始位置のサムネイル画と削除開始位置の時間（００：４５：００）と削除終了位置の時間（００：４７：００）を４番目削除アイコン２１０４として追加表示する。また、この時削除後時間２０７には４個の削除シーンの合計である９分を削除した場合の残り時間である（０１：５１：００）を表示する。ここの画面の状態で、ユーザからの次に削除する５番目のシーンの削除開始位置の指定を待ち、以降繰り返す。
【００４１】
９番目の削除するシーン（不要部分）の削除終了位置を指定すると図４（ａ）に示すように、削除開始位置サムネイル画２０３及び削除終了位置サムネイル画２０４には開始位置と終了位置のサムネイル画がそれぞれ表示されるとともに現在の再生位置時間２０６には（０２：００：００）が、削除後時間２０７には（０１：４３：００）が表示される。同時に、１番目削除アイコン２１０１、２番目削除アイコン２１０２、３番目削除アイコン２１０３、４番目削除アイコン２１０４、５番目削除アイコン２１０５、６番目削除アイコン２１０６、７番目削除アイコン２１０７、８番目削除アイコン２１０８及び、１番目シーンバー２０９１、２番目シーンバー２０９２、３番目シーンバー２０９３、４番目シーンバー２０９４、５番目シーンバー２０９５、６番目シーンバー２０９６、７番目シーンバー２０９７、８番目シーンバー２０９８、９番目シーンバー２０９９も表示される。ここで、ユーザがさらに次に削除する１０番目のシーンを指定するために操作バー２０８を参考に決定釦を押すと、図４（ｂ）で示す表示画面となる。
【００４２】
次の１０番目のシーン指定の画面になると図４（ｂ）に示すように、削除開始位置サムネイル画２０３と削除終了位置サムネイル画２０４の表示を消し、現在の再生位置時間２０６には（０２：００：００）が、削除後時間２０７には（０１：３８：００）が表示されるとともに、削除に指定した９番目シーンの削除開始位置のサムネイル画と削除開始位置の時間（０１：５５：００）と削除終了位置の時間（０２：００：００）を９番目削除アイコン２１０９として表示する。この時、１番目削除アイコン２１０１〜８番目削除アイコン２１０８は表示が消えるが、左スクロールアイコン２１１を押すことにより表示がスクロールして表示できるようになっている。尚、ここで、１番目削除アイコン２１０１を消して、２番目削除アイコン２１０２〜９番目削除アイコン２１０９までを表示するようにしても構わない。
【００４３】
ここで、ユーザが削除を続ける場合には削除開始位置を探すことになるが、削除の指定を完了した場合には、一括削除の操作に入ることになる。削除の前にユーザは１番目削除アイコン２１０１〜９番目削除アイコン２１０９のサムネイル画を見て、本当に削除してよいかを確認し、間違いなければ操作バー２０８を参考にして、操作手段１１３にある赤釦を押す。間違いに気付いた場合には、操作手段１１３にある左右カーソル釦を使用して、１番目削除アイコン２１０１〜９番目削除アイコン２１０９を選択し、青釦を押すと削除対象から解除することができる。削除対象から解除すると、その削除アイコン及びシーンバーの表示はされなくなり、削除後時間２０７の表示を再計算されて表示される。尚、削除アイコンの選択時、選択されている削除アイコン内のサムネイル画は例えば黄色等の色付きの枠で囲うとともにシーンバーも黄色等の色を付けることにより、選択しているものがわかりやすいようになっている。
【００４４】
図４（ｂ）の画面で赤釦を押すと、図８に示す一括削除の確認画面に切り替わる。図８に示すように、画面８０１の操作バー８０８には「本当に削除してよろしいですか？」の確認文字を表示し、ユーザの操作間違いがないか確認を促し、間違いない場合は「はい」８０８２を押し一括削除処理を開始する。間違っているときが付いた場合は「いいえ」８０８３を押し削除処理を中止する。
【００４５】
尚、本実施例では、図２（ａ）、図２（ｄ）、図３（ｂ）、図４（ｂ）の画面のときに戻り釦を押すと削除機能を中止できるようになっている。
【００４６】
次に、本実施例による映像記録再生装置の部分削除の処理の流れを、図５を用いて説明する。図５は本実施例による映像記録再生装置のフローチャートを示す。
【００４７】
操作手段１１３からの所定の操作により削除するシーン（不要部分）の対象となる番組をステップ５０１で選択しさらにステップ５０２で部分削除機能を起動すると、図２（ａ）で示した部分削除用の画面が表示される。ステップ５０３で番組を再生して再生画を見ながら削除するシーン（不要部分）の削除開始位置を探し、削除開始位置を指定するために決定釦が押されるのを待つ。ステップＳ５０４で戻る釦が押された場合は、ステップＳ５０２に戻り部分削除機能を中止する。ユーザは削除開始位置のときに決定釦を押すので、ステップＳ５０４で決定釦が押されたことを判断すると、ステップＳ５０５で削除開始位置のサムネイル画を生成し、削除開始位置の時間情報ととともにサムネイル画データを記憶手段１１４に記憶する。その後削除シーン（不要部分）の終了位置を探して削除終了位置を指定するために決定釦が押されるのを待つ。
【００４８】
ステップＳ５０６で戻る釦が押された場合は、ステップＳ５０３に戻り削除開始位置を探す。ユーザは削除終了位置のときに決定釦を押すので、ステップＳ５０６で決定釦が押されたことを判断すると、ステップＳ５０７で削除終了位置のサムネイル画を生成し、削除終了位置の時間情報とともにサムネイル画データを記憶手段１１４に記憶する。
【００４９】
ここで、１番目に削除するシーンの指定ができたことになる。その後次のシーンを削除するために決定釦が押されるのを待つ。ステップＳ５０８で戻る釦が押された場合は、ステップＳ５０６に戻り削除シーン（不要部分）の終了位置を探して削除終了位置を指定するために決定釦が押されるのを待つ。
【００５０】
ユーザが次のシーンを削除するために決定釦を押した場合は、ステップＳ５０８で決定釦が押されたことを判断し、ステップＳ５０９で記憶手段１１４に記録した削除開始位置のサムネイル画と削除開始位置の時間情報と削除終了位置の時間情報を読み出し画面に削除アイコンとして表示するとともに指定したシーンを削除した場合の削除後時間を算出し画面に表示する。その後ユーザは次の２番目のシーンを削除する場合は削除開始位置を探した後決定釦を押すので、ステップＳ５１０で決定釦が押されたことを判断してステップＳ５０５に戻り、２番目の削除開始位置のサムネイル画を生成し、２番目の削除シーンの削除開始位置の時間情報とともにサムネイル画データを記憶手段１１４に記憶し、削除部分として指定するシーンがなくなるまで繰り返す。削除するシーンが無くなるとユーザは、指定したシーンが間違っていないかを図４（ａ）（ｂ）の表示画面により確認し、間違っていなければ削除のための赤釦を押すのでステップＳ５１１で指定された複数のシーンを一括して削除する処理に入り、削除に指定したシーンをつめた形の映像データとする。
【００５１】
これにより、本実施例では映像データの容量が２時間から１時間３８分となり、データ量を減少させることができる。また、指定したシーンが間違っている場合は、ユーザは間違ったシーンの削除を解除するためにカーソル釦で間違ったシーンを選択するので、ステップＳ５１２でカーソル釦に従って削除アイコンのサムネイル画を選択し、ステップＳ５１３で青釦が押された場合は、選択中の削除アイコンのシーンを削除の対象から外して表示をやめ赤釦からの一括削除処理を待つ。
【００５２】
ここで、本実施例では削除アイコンに表示するサムネイル画を削除開始位置のサムネイル画としたが、削除終了位置のサムネイル画としても構わない。さらに、削除開始位置と削除終了位置の両サムネイル画を交互に表示するようにしても構わない。
【００５３】
また、削除アイコンに表示するサムネイル画を動画サムネイルにしても構わない。動画とすることで削除しようとするシーンの内容がさらに確認しやすくなる。動画サムネイル用の動画サムネイル画データは、再生中に削除開始位置を決定釦を押して指定してから一定時間の再生画の動画サムネイル画データをサムネイル画生成手段１１１で生成することで達成できる。また、削除終了位置を探している間の再生画から動画サムネイル画データを生成しても構わないし、他の方法でもよい。
【００５４】
次に、本実施例による映像記録再生装置における一括削除時の映像データの減少処理について、図６を用いて説明する。図６は本実施例による映像記録再生装置の映像データの減少イメージ図を示す。
【００５５】
図６（ａ）に示すように、不要部分のある番組の記録時間は２時間あり、その中で削除シーンはシーン２、４、６、８，１０、１２、１４、１６、１８の９箇所ある。ステップＳ５１０で赤釦が押されると一括削除の処理動作に入る。まず最初に、シーン１の終了部分（００：０３：００）からシーン３以降の１時間５４分の映像データを上書きし、図６（ｂ）に示す映像データとする。次に、シーン３の終了部分（００：１２：００）からシーン５以降の１時間４３分の映像データを上書きし、図６（ｃ）に示す映像データとする。
【００５６】
これを繰り返して図６（ｄ）に示すような不要部分のシーンが削除された１時間３８分の映像データができ、減少処理が終了する。このように一括削除処理時にデータを減少できるので、記録容量が有限なＨＤＤやＤＶＤにおいては、データ容量を有効に使用することができる。
【実施例２】
【００５７】
本発明による映像記録再生装置における一括削除時の映像データの減少処理の第２の実施例について、図７を用いて説明する。図７は本発明による映像記録再生装置における第２の実施例の映像データの減少イメージ図を示す。
【００５８】
図７（ａ）に示すように、不要部分のある番組の記録時間は２時間あり、その中で削除シーンはシーン２、４、６、８，１０、１２、１４、１６、１８の９箇所ある。ステップＳ５１０で赤釦が押されると一括削除の処理動作に入る。シーン１の終了部分（００：０３：００）からシーン３の映像データを上書きする。シーン３の上書きが終了したらシーン３の終了部分（００：１２：００）からシーン５の映像データを上書きする。これを繰り返してシーン１７が上書きされたところで映像データの減少処理が終了する。
【００５９】
ここで、実施例１と違うところは、実施例１では削除シーンより後ろの削除するシーンを含めたシーンの映像データを上書きしていたので、上書きするデータが多くなり一括処理に時間がかかる場合があったが、実施例２では削除シーンの次のシーンの映像データのみを順番に上書きしていくので、上書きするデータ量が少なくて済み一括削除処理の時間を短くすることができることである。本実施例のでは実施例１では１０時間３５分に当たる映像データを上書きすることになるが、実施例２では１時間３５分にあたる映像データを上書きするだけでよいことになる。
【００６０】
以上説明した本発明の各実施例によれば、不要部分を指定している時に不要部分のサムネイル画及び不要部分の位置、長さを表示することにより確認しやすく使い勝手を改善することができる。
【００６１】
特に、本発明の一実施形態は、記録媒体に記録されている映像データの任意の部分を指定する部分指定手段と、指定された部分を代表する縮小画を表示するための情報を生成する画面生成手段とを備えた映像記録再生装置において、前記部分指定手段により複数の部分を指定した場合、前記画面生成手段は指定した複数の部分の位置の情報及びまたは指定した複数の部分の縮小画を表示するための情報を生成することを特徴とする。これにより、不要部分を指定している時に不要部分のサムネイル画及び不要部分の位置、長さを表示することにより削除しようとしている内容を確認しやすく、使い勝手を改善することができる。
【００６２】
さらに、前記縮小画は静止画像及びまたは動画像であることを特徴とする。縮小画（サムネイル画）を動画とすることで、削除しようとしている内容を確認しやすくできる。
【００６３】
さらに、前記部分指定手段により指定した部分を削除する削除手段を設け、前記部分指定手段により複数の部分を指定した後前記削除手段により削除を行った場合は、一括して指定された部分を削除することを特徴とする。複数の不要部分を指定した後に一括して削除を行うようにすることにより、操作性を向上できる。
【００６４】
さらに、前記部分指定手段による部分の指定は、映像データを再生中に開始位置と終了位置を指定することであることを特徴とする。削除しようとしている不要部分は、再生画を見ながら、決定釦等の釦操作により開始位置と終了位置を任意に指定できることにより、ＣＭ部分やオープニング部分などの不要な部分を削除することができる。
【図面の簡単な説明】
【００６５】
【図１】本発明によるＨＤＤ内蔵ＤＶＤレコーダのブロック図
【図２（ａ）】部分削除機能時における１番目シーン削除の表示例
【図２（ｂ）】部分削除機能時における１番目シーン削除の表示例
【図２（ｃ）】部分削除機能時における１番目シーン削除の表示例
【図２（ｄ）】部分削除機能時における１番目シーン削除の表示例
【図３】部分削除機能時における４番目シーン削除の表示例
【図４】部分削除機能時における９番目シーン削除の表示例
【図５】本発明による映像記録再生装置のフローチャート
【図６】本発明による映像記録再生装置の映像データの減少イメージ図
【図７】本発明による映像記録再生装置における第２の実施例の映像データの減少イメージ図
【図８】一括削除確認時の表示例
【符号の説明】
【００６６】
１０１…アナログ受信手段、１０２…外部入力端子、１０３…デジタル受信手段、
１０４…入力切替手段、１０５…Ａ／Ｄ、１０６…デジタル信号処理手段、
１０７…ＨＤＤドライブ、１０８…ＤＶＤドライブ、１０９…ＯＳＤ生成手段、
１１０…外部出力端子、１１１…サムネイル画生成手段、１１２…制御手段、
１１３…操作手段、１１４…記憶手段、２０１…画面、２０２…再生画、
２０３…削除開始位置サムネイル画、２０４…削除終了位置サムネイル画、
２０５…再生ポイント、２０６…再生位置時間、２０７…削除後時間、
２０８…操作バー、２０９…番組バー、２０９１〜２０９９…シーンバー、
２１０１〜２１０９…削除アイコン。
【図１】
2006309867.tif 000003
【図２（ａ）】
2006309867.tif 000004
【図２（ｂ）】
2006309867.tif 000005
【図２（ｃ）】
2006309867.tif 000006
【図２（ｄ）】
2006309867.tif 000007
【図３】
2006309867.tif 000008
【図４】
2006309867.tif 000009
【図５】
2006309867.tif 000010
【図６】
2006309867.tif 000011
【図７】
2006309867.tif 000012
【図８】
2006309867.tif 000013